(57)【要約】【課題】キャリブレーションを精度よく行うことができる基地局装置、通信システムおよび端末装置を提供する。【解決手段】推定部４２は、複数のアンテナ１５を用いた時分割方式の通信において、他の基地局の下り区間と重なる自装置の上り区間で当該他の基地局から送信された信号を基にチャネル推定を行う。取得部４３は、自装置の下り区間と重なる他の基地局の上り区間で自装置が送信した信号に基づいて当該他の基地局がチャネル推定した推定結果を取得する。算出部４５は、推定部４２による推定結果および取得部４３により取得した推定結果を基に複数のアンテナ１５間の特性差を補償するための補正係数を算出する。【選択図】図４
2016009937.tif 000002
【特許請求の範囲】
【請求項１】
複数のアンテナを用いた時分割方式の通信において、他の基地局の下り区間と重なる自装置の上り区間で当該他の基地局から送信された信号を基にチャネル推定を行う推定部と、
自装置の下り区間と重なる前記他の基地局の上り区間で自装置が送信した信号に基づいて当該他の基地局がチャネル推定した推定結果を取得する取得部と、
前記推定部による推定結果および前記取得部により取得した推定結果を基に前記複数のアンテナ間の特性差を補償するための補正係数を算出する算出部と
を有することを特徴とする基地局装置。
【請求項２】
前記他の基地局に設定される、上り区間と下り区間の切り替えパターンの下り区間と、上り区間が重なる切り替えパターンを設定する設定部
をさらに有することを特徴とする請求項１に記載の基地局装置。
【請求項３】
前記他の基地局の下り区間が自装置の上り区間に重なる区間で、自装置の通信エリア内の端末へ信号の送信の停止を通知する通知部
をさらに有することを特徴とする請求項１または２に記載の基地局装置。
【請求項４】
前記他の基地局に設定される、上り区間と下り区間の切り替えパターンの下り区間と、下り区間から上り区間への切替区間が重なる切り替えパターンを設定する設定部をさらに有し、
前記推定部は、前記切替期間で前記他の基地局から送信された信号を基にチャネル推定を行う
ことを特徴とする請求項１に記載の基地局装置。
【請求項５】
前記他の基地局の上り区間が自装置の下り区間に重なる区間で、信号の送信電力を大きくなるよう制御する送信制御部
をさらに有することを特徴とする請求項１−４の何れか１つに記載の基地局装置。
【請求項６】
それぞれ複数のアンテナを有し、時分割方式で通信を行う複数の基地局を備えた通信システムであって、
前記基地局は、
他の基地局の下り区間と重なる自装置の上り区間で当該他の基地局から送信された信号を基にチャネル推定を行う推定部と、
自装置の下り区間と重なる前記他の基地局の上り区間で自装置が送信した信号に基づいて当該他の基地局がチャネル推定した推定結果を取得する取得部と、
前記推定部による推定結果および前記取得部により取得した推定結果を基に前記複数のアンテナ間の特性差を補償するための補正係数を算出する算出部と
を有することを特徴とする通信システム。
【請求項７】
前記基地局は、３以上備えられ、一部の基地局で構成される第１の基地局群と、残りの基地局で構成される第２の基地局群の間で、上り区間と下り区間が交互に重なるタイミングを有する
ことを特徴とする請求項６に記載の通信システム。
【請求項８】
前記第１の基地局群の基地局の前記推定部は、前記第２の基地局群の基地局の下り区間と重なる自装置の上り区間で当該第２の基地局群の基地局から送信された信号を基にチャネル推定を行い、
前記第１の基地局群の基地局の前記取得部は、自装置の下り区間と重なる前記第２の基地局群の基地局の上り区間で自装置が送信した信号に基づいて当該第２の基地局群の基地局がチャネル推定した推定結果を取得し、
前記第１の基地局群の基地局の前記算出部は、前記推定部により前記第２の基地局群の基地局から送信された信号からチャネル推定された推定結果および前記取得部により取得された前記第２の基地局群の基地局がチャネル推定した推定結果を基に前記複数のアンテナ間の特性差を補償するための補正係数を算出する
ことを特徴とする請求項７に記載の通信システム。
【請求項９】
複数のアンテナを用いた時分割方式の通信において、他の端末の上り区間と重なる自装置の下り区間で当該他の端末から送信された信号を基にチャネル推定を行う推定部と、
自装置の上り区間と重なる前記他の端末の下り区間で自装置が送信した信号に基づいて当該他の端末がチャネル推定した推定結果を取得する取得部と、
前記推定部による推定結果および前記取得部により取得した推定結果を基に前記複数のアンテナ間の特性差を補償するための補正係数を算出する算出部と
を有することを特徴とする端末装置。
【発明の詳細な説明】
【技術分野】
【０００１】
本発明は、基地局装置、通信システムおよび端末装置に関する。
【背景技術】
【０００２】
複数のアンテナを備えた無線基地局と無線端末が通信を行うセルラー通信では、基地局がＤＬ（Downlink）のチャネルに応じて適切な送信ビームを形成してＤＬ送信を行うことで、スループットの向上を図ることができる。その際、ＵＬ（Uplink）とＤＬとを時分割で切り替えるＴＤＤ（Time  Division  Duplex）方式では、ＵＬとＤＬで同一周波数を用いるため、基地局、および、端末のアンテナ間でのチャネルの可逆性を利用することができる。ＵＬとＤＬで完全にチャネルが一致する場合、基地局がＵＬ信号で推定したチャネルを利用してＤＬの送信ビームを形成できるため、端末からのＤＬチャネル情報のフィードバックを行わなくても送信ビームの形成が行える。
【０００３】
しかし、実際には基地局の送受信のアナログ回路の特性差、および、端末の送受信のアナログ回路の特性差が原因で、デジタル部で観測されるチャネルについては可逆性が成り立つとは限らない。このため、アナログ回路の特性差を補償するキャリブレーションが行われる。
【０００４】
このキャリブレーションの方法としては、例えば、キャリブレーション専用のアナログ回路を設けることで、送受信で特性を一致させる方法がある。しかしながら、キャリブレーション専用の回路を設けることはコストの増加に繋がるため、好ましくない。
【０００５】
一方、キャリブレーション専用のアナログ回路を設けない方法としては、基地局と端末の間のチャネル情報を利用してキャリブレーションを行う方法がある。例えば、基地局が端末からのＵＬ信号からＵＬチャネル推定値を求める。また、端末が基地局からのＤＬ信号からＤＬチャネル推定値を求める。そして、基地局が、ＵＬチャネル推定値と端末のフィードバックするＤＬチャネル推定値を基に、基地局の各アンテナの送受信のアナログ回路の特性差がいずれかのアンテナの特性差に一致するようにＵＬチャネル推定値を補正する。なお、端末側のアナログ回路の特性差の影響は、基地局の全アンテナで共通の影響であるため、基地局のみを考慮したキャリブレーションであっても、正しくビームを形成することができる。このため、この方法では、端末のアナログ回路の特性差は考慮せず、基地局のアナログ回路の特性差のみを考慮して補正を行う。
【先行技術文献】
【特許文献】
【０００６】
【特許文献１】特開２０１０−２１９７４６号公報
【発明の概要】
【発明が解決しようとする課題】
【０００７】
しかしながら、基地局と端末間の通信では、キャリブレーションを高精度に行うことができない場合がある。例えば、セル内に受信品質の良い端末が存在しない場合は、チャネル推定を精度良く行うことができないため、キャリブレーションを高精度に行うことができない。また、端末が移動している場合は、ＤＬチャネル推定とＵＬチャネル推定の間にチャネルが大きく変動してしまい、キャリブレーションを高精度に行うことができない。
【０００８】
本願に開示の技術は、キャリブレーションを精度よく行うことができる基地局装置、通信システムおよび端末装置を提供することを目的とする。
【課題を解決するための手段】
【０００９】
１つの側面では、基地局装置は、推定部と、取得部と、算出部とを有する。推定部は、複数のアンテナを用いた時分割方式の通信において、他の基地局の下り区間と重なる自装置の上り区間で当該他の基地局から送信された信号を基にチャネル推定を行う。取得部は、自装置の下り区間と重なる他の基地局の上り区間で自装置が送信した信号に基づいて当該他の基地局がチャネル推定した推定結果を取得する。算出部は、推定部による推定結果および取得部により取得した推定結果を基に複数のアンテナ間の特性差を補償するための補正係数を算出する。
【発明の効果】
【００１０】
１実施形態によれば、キャリブレーションを精度よく行うことができる。
【図面の簡単な説明】
【００１１】
【図１】図１は、システム構成の一例を説明する図である。
【図２】図２は、３ＧＰＰのDL/UL  configurationの一例を示す図である。
【図３】図３は、送信系と受信系の特性差を説明する図である。
【図４】図４は、基地局の概略的な構成を示す図である。
【図５】図５は、DL/UL  configurationの設定の一例を示す図である。
【図６】図６は、キャリブレーションの流れの一例を示すシーケンス図である。
【図７】図７は、キャリブレーション処理の手順の一例を示すフローチャートである。
【図８】図８は、スペシャルサブフレームのデータ構成の一例を示す図である。
【図９】図９は、DL/UL  configurationの設定の一例を示す図である。
【図１０】図１０は、キャリブレーションの流れの一例を示すシーケンス図である。
【図１１】図１１は、キャリブレーション処理の手順の一例を示すフローチャートである。
【図１２】図１２は、システム構成の一例を説明する図である。
【図１３】図１３は、DL/UL  configurationの設定の一例を示す図である。
【図１４】図１４は、キャリブレーションの流れの一例を示すシーケンス図である。
【図１５】図１５は、システム構成の一例を説明する図である。
【図１６】図１６は、キャリブレーションプログラムを実行するコンピュータを示す図である。
【発明を実施するための形態】
【００１２】
以下に、本願の開示する基地局装置、通信システムおよび端末装置の実施例を、図面に基づいて詳細に説明する。なお、以下の実施例は開示の技術を限定するものではない。そして、各実施例は、処理内容を矛盾させない範囲で適宜組み合わせることが可能である。
【実施例１】
【００１３】
［システムの構成］
最初に、実施例１に係るシステム１０の一例を説明する。図１は、システム構成の一例を説明する図である。システム１０は、セルラー方式により通信を行う通信システムである。図１に示すように、システム１０は、基地局１１と、端末１２とを有する。図１の例では、基地局１１を２つとした場合を例示したが、これに限定されず、基地局１１は任意の数とすることができる。また、図１の例では、端末１２を２つとした場合を例示したが、これに限定されず、端末１２も任意の数とすることができる。各基地局１１は、通信エリア内の端末１２と無線での通信が可能とされている。図１の例では、各基地局１１の通信エリアがそれぞれ楕円により示されており、基地局１１の通信エリア内にそれぞれ１つずつ端末１２が図示されている。基地局１１は、通信エリア内の端末１２と同一周波数を用いてＴＤＤ方式で通信を行う。基地局１１は、複数のアンテナが設けられており、各アンテナを用いて適切な送信ビームを形成してＤＬ送信を行う。
【００１４】
ＴＤＤ方式では、同一周波数を用いて時分割でＵＬとＤＬの送信を行うため、基地局１１および端末１２でＵＬとＤＬのタイミングを同期させる。例えば、３ＧＰＰ（3rd  Generation  Partnership  Project）では、DL/UL  configurationを用いてＵＬとＤＬのタイミングを同期させる。図２は、３ＧＰＰのDL/UL  configurationの一例を示す図である。図２には、０〜６の６つのDL/UL  configurationが示されている。以下、０〜６のDL/UL  configurationをそれぞれ個別に示す場合、#0〜#6とそれぞれの番号を付して表記する。
【００１５】
DL/UL  configurationは、１フレームが０〜９の１０個のサブフレームに分かれており、サブフレーム単位でサブフレームの期間の通信を設定することが可能とされている。以下、０〜９のサブフレームをそれぞれ個別に示す場合、＃０〜＃９とそれぞれの番号を付して表記する。１フレームは、例えば、１０msecの期間である。サブフレームは、例えば、１msecの期間である。サブフレームに記載された「Ｄ」は、ＤＬのサブフレームを示す。「Ｕ」は、ＵＬのサブフレームを示す。「Ｓ」は、スペシャルサブフレーム（Special  subframe）を示す。スペシャルサブフレームは、ＤＬからＵＬへの切り替えのタイミングで設定される。ＴＤＤでは、端末１２がＤＬ信号を受信回路で受信後、送信回路に切り替えてＵＬ送信を行う。スペシャルサブフレームは、基地局１１がＤＬ信号を送信した後、端末１２からのＵＬ信号が基地局に到達するまでには伝搬遅延に対応して設けられる。
【００１６】
図２に示すように、DL/UL  configuration#0〜#6は、ＤＬとＵＬのサブフレーム割合がことなっている。基地局１１は、通信エリア内の端末１２に通信で使用するDL/UL  configurationを通知し、基地局１１および通信エリア内の端末１２がDL/UL  configurationに設定された各サブフレームの期間に、サブフレームの設定に従ってＵＬ、ＤＬを行う。
【００１７】
ところで、基地局１１および端末１２は、送信系と受信系でアナログ回路が一部分かれており、送信系と受信系でアナログ回路の特性差がある。図３は、送信系と受信系の特性差を説明する図である。基地局１１は、複数のアンテナ１５が設けられており、アンテナ１５毎に、送信系のアナログ回路（ＴＸ）と、受信系のアナログ回路（ＲＸ）とが接続されている。端末１２についても、アンテナ１６に送信系のアナログ回路（ＴＸ）と、受信系のアナログ回路（ＲＸ）とが接続されている。ＤＬでは、基地局１１のデジタル処理部、アナログ回路（ＴＸ）から、伝播路を介して、端末１２のアナログ回路（ＲＸ）、デジタル処理部へと信号が流れる。ＵＬでは、端末１２のデジタル処理部、アナログ回路（ＴＸ）から、伝播路を介して、基地局１１のアナログ回路（ＲＸ）、デジタル処理部へと信号が流れる。伝播路は、ＵＬとＵＬで同様の特性である。一方、送信系と受信系で信号が通過するアナログ回路が異なるため、ＵＬとＵＬで特性が異なる。端末１２側のアナログ回路の特性差の影響は、基地局１１の全アンテナ１５で共通の影響である。このため、基地局１１のみを考慮したキャリブレーションであっても、正しくビームを形成することができる。実施例１に係るシステム１０では、各基地局１１が適切な送信ビームを形成するために、基地局１１間で各アンテナ１５の送信系と受信系のアナログ回路の特性差を補償するキャリブレーションを行う。
【００１８】
［基地局の構成］
次に、実施例１に係る基地局１１の構成を説明する。図４は、基地局の概略的な構成を示す図である。図４に示すように、基地局１１は、無線通信デバイス３０と、ネットワークＩ／Ｆ（インタフェース）部３１と、記憶部３２と、制御部３３と、を有する。
【００１９】
無線通信デバイス３０には、複数のアンテナ１５が接続されている。なお、図４の例では、アンテナ１５を１つのみに簡略化して図示している。無線通信デバイス３０は、アンテナ１５から信号の送受信に用いるアナログ回路が設けられている。例えは、無線通信デバイス３０には、アンテナ１５ごとに送信系のアナログ回路（ＴＸ）と、受信系のアナログ回路（ＲＸ）が設けられている。
【００２０】
ネットワークＩ／Ｆ部３１は、他の装置との間で通信制御を行うインタフェースである。例えば、ネットワークＩ／Ｆ部３１は、移動体通信網を構成するバックボーンの有線ネットワークに接続され、他の基地局と各種の情報を送受信することが可能とされている。
【００２１】
記憶部３２は、各種のデータを記憶する記憶デバイスである。例えば、記憶部３２は、ハードディスク、ＳＳＤ（Solid  State  Drive）、光ディスクなどの記憶装置である。なお、記憶部３２は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。
【００２２】
制御部３３は、基地局１１を制御するデバイスである。制御部３３としては、ＣＰＵ（Central  Processing  Unit）、ＭＰＵ（Micro  Processing  Unit）等のプロセッサや、ＡＳＩＣ（Application  Specific  Integrated  Circuit）、ＦＰＧＡ（Field  Programmable  Gate  Array）等の集積回路を採用できる。制御部３３は、各種の処理手順を規定したプログラムや制御データを格納するための内部メモリを有し、これらによって種々の処理を実行する。制御部３３は、各種のプログラムが動作することにより各種の処理部として機能する。例えば、制御部３３は、設定部４０と、送受信制御部４１と、推定部４２と、取得部４３と、通知部４４と、算出部４５とを有する。
【００２３】
設定部４０は、各種の設定を行う。例えば、設定部４０は、キャリブレーションを行う場合、キャリブレーションの相手となる他の基地局１１との間で、ＵＬとＤＬが交互に重なるタイミングが生じるように通信タイミングを設定する。このキャリブレーションの相手となる他の基地局１１は、キャリブレーションを行う基地局１１に隣接する基地局１１とする。例えば、図１に示すような互いに隣接する２つの基地局１１の間でキャリブレーションを行う。例えば、設定部４０は、キャリブレーションの相手となる他の基地局１１との間でフレームのタイミングを同期させる。また、設定部４０は、他の基地局１１のDL/UL  configurationの設定を取得する。この他の基地局１１とのフレームのタイミングの同期、および、他の基地局１１のDL/UL  configurationの設定の取得は、ネットワークＩ／Ｆ部３１を用いて、有線ネットワーク経由で他の基地局１１と通信を行うことにより行ってもよい。また、この他の基地局１１とのフレームのタイミングの同期、および、他の基地局１１のDL/UL  configurationの設定の取得は、他の基地局１１のＤＬの信号を受信することにより行ってもよい。
【００２４】
設定部４０は、他の基地局１１から取得したDL/UL  configurationとＵＬとＤＬが交互に重なるタイミングが生じるDL/UL  configurationを通信エリアのDL/UL  configurationに設定する。この設定された通信エリアのDL/UL  configurationは、通知部４４により通信エリア内の端末１２に通知される。
【００２５】
送受信制御部４１は、データの送受信の制御を行う。例えば、送受信制御部４１は、設定部４０で設定されたDL/UL  configurationに基づいて、無線通信デバイス３０の送信／受信を時分割で切り替える。そして、送受信制御部４１は、ＤＬのタイミングで参照信号、および、データ信号を送信する制御を行う。また、送受信制御部４１は、ＵＬのタイミングで端末１２および他の基地局１１からのＵＬ信号の受信する制御を行う。
【００２６】
推定部４２は、各種の推定を行う。例えば、推定部４２は、他の基地局１１のＤＬ信号を基にチャネル推定を行う。
【００２７】
通知部４４は、推定部４２が他の基地局１１のＤＬ信号についてチャネル推定した推定結果を当該他の基地局１１へ通知する。この他の基地局１１への通知は、ネットワークＩ／Ｆ部３１により移動体通信のバックボーンの有線ネットワークを介して行ってもよい。また、他の基地局１１への通知は、送受信制御部４１による無線通信により行ってもよい。
【００２８】
取得部４３は、各種の取得を行う。例えば、取得部４３は、他の基地局１１が本基地局１１からのＵＬ信号を基にチャネル推定した推定結果を取得する。この推定結果は、他の基地局１１が本基地局１１からのＵＬ信号からチャネル推定した推定結果を求めた際に本基地局１１へ通知してもよい。また、推定結果は、取得部４３が他の基地局１１に対して送信を要求し、他の基地局１１が要求に応じて送信してもよい。
【００２９】
算出部４５は、各種の算出を行う。例えば、算出部４５は、推定部４２による推定結果および取得部４３により取得した推定結果を基にアンテナ１５間の特性差を補償するための補正係数を算出する。算出部４５により補正係数が算出された場合、送受信制御部４１は、算出部４５により算出された補正係数によりプリコーディングを行って、データの送信を行う。
【００３０】
ここで、具体例を用いて説明する。本実施例では、図１に示す２つの基地局１１の間でキャリブレーションを行う場合を例に説明する。以下では、２つの基地局１１を区別する場合、基地局＃１、＃２と表記する。また、基地局＃１の通信エリア内の端末１２を端末＃１とし、基地局＃２の通信エリア内の端末１２を端末＃２と表記する。
【００３１】
２つの基地局＃１、＃２の間でキャリブレーションを行う場合、基地局＃１、＃２の設定部４０は、ＵＬとＤＬが交互に重なるタイミングが生じるようにDL/UL  configurationを設定する。
【００３２】
図５は、DL/UL  configurationの設定の一例を示す図である。図５のフレーム５１に示すように、設定がDL/UL  configuration#3である場合、基地局＃１は、基地局＃２の設定がDL/UL  configuration#3であるフレーム５２で、DL/UL  configuration#4に設定する。基地局＃２は、基地局＃１の設定がDL/UL  configuration#3であるフレーム５３で、DL/UL  configuration#4に設定する。DL/UL  configuration#3、#4は、サブフレーム＃４でＤＬ、ＵＬの設定が異なっている。フレーム５２、５３では、サブフレーム＃４がＵＬとＤＬが交互に重なるタイミングとなっている。基地局＃１、＃２は、この互いにＵＬとＤＬが交互に重なるタイミングでキャリブレーションを行う。
【００３３】
図６は、キャリブレーションの流れの一例を示すシーケンス図である。図６の例では、当初、基地局＃１、＃２は、設定がDL/UL  configuration#3であるものとする。
【００３４】
基地局＃１は、通信エリア内にDL/UL  configuration#4を通知する（Ｓ１０）。これにより、サブフレーム＃４の期間、基地局＃１の通信エリアでは、ＤＬとなり、基地局＃２の通信エリアでは、ＵＬとなる。
【００３５】
基地局＃１は、サブフレーム＃４の期間にＤＬ送信を行う（Ｓ１１）。基地局＃１の通信エリアの端末＃１は、サブフレーム＃４の期間がＤＬであるため、基地局＃１からのＤＬ信号を受信できる。一方、基地局＃２の通信エリアでは、サブフレーム＃４の期間がＵＬである。このため、基地局＃２の通信エリアの端末＃２は、ＵＬ送信を行う（Ｓ１２）。基地局＃２は、サブフレーム４の期間がＵＬであるため、端末＃２からのＵＬ信号および基地局＃１からのＤＬ信号を共に受信できる。基地局＃２は、基地局＃１からのＤＬ信号からチャネル推定を行う（Ｓ１３）。そして、基地局＃２は、チャネル推定の推定結果を基地局＃１に通知する（Ｓ１４）。
【００３６】
次に、基地局＃１は、通信エリア内にDL/UL  configuration#3を通知する（Ｓ１５）。また、基地局＃２は、通信エリア内にDL/UL  configuration#4を通知する（Ｓ１６）。これにより、サブフレーム＃４の期間、基地局＃１の通信エリアでは、ＵＬとなり、基地局＃２の通信エリアでは、ＤＬとなる。
【００３７】
基地局＃２は、サブフレーム＃４の期間にＤＬ送信を行う（Ｓ１７）。基地局＃２の通信エリアの端末＃２は、サブフレーム＃４の期間がＤＬであるため、基地局＃２からのＤＬ信号を受信できる。一方、基地局＃１の通信エリアでは、サブフレーム＃４の期間がＵＬである。このため、基地局＃１の通信エリアの端末＃１は、ＵＬ送信を行う（Ｓ１８）。基地局＃１は、サブフレーム４の期間がＵＬであるため、端末＃１からのＵＬ信号および基地局＃２からのＤＬ信号を共に受信できる。基地局＃１は、基地局＃２からのＤＬ信号からチャネル推定を行う（Ｓ１９）。そして、基地局＃１は、チャネル推定の推定結果を基地局＃２に通知する（Ｓ２０）。
【００３８】
基地局＃１は、基地局＃２のＤＬ信号からチャネル推定した推定結果と、基地局＃２から通知された推定結果を基にアンテナ１５間の特性差を補償するための補正係数を算出する（Ｓ２１）。基地局＃２は、基地局＃１のＤＬ信号からチャネル推定した推定結果と、基地局＃１から通知された推定結果を基にアンテナ１５間の特性差を補償するための補正係数を算出する（Ｓ２２）。
【００３９】
キャリブレーションが完了するとDL/UL  configurationの設定をキャリブレーション前の状態に戻す。例えは、基地局＃２は、通信エリア内にDL/UL  configuration#3を通知する（Ｓ２３）。これにより、基地局＃１および基地局＃２は、当初のDL/UL  configuration#3の設定で通信が行われる。
【００４０】
次に、補正係数を算出する計算の流れを説明する。以下では、基地局＃１の複数のアンテナ１５間の特性差を補償するための補正係数を算出する例を説明する。以下、各基地局１１（＃１、＃２）のアンテナ１５の数をＫとし、各端末１２のアンテナ１６の数をＬとする。各基地局１１のアンテナ１５および各端末１２のアンテナ１６をそれぞれ個別に示す場合、例えば、＃ｉと番号を付して表記する。なお、それぞれの基地局１１、および、端末１２でアンテナ数が異なる場合についても同様の方法で補正係数を算出可能である。
【００４１】
図６のＳ１３では、基地局＃２は、基地局＃１が送信するＤＬ信号を基に、基地局＃１の送信系のアナログ回路（ＴＸ）による変動、および、基地局＃２の受信系のアナログ回路（ＲＸ）による変動を含む基地局間チャネルＧeff,1を推定する。
【００４２】
この基地局間チャネルＧeff,1は、以下の（１）式で表される。
【００４３】
Ｇeff,1  ＝  ＡRX,2・Ｇ・ＡTX,1      ・・・（１）
【００４４】
ここで、ＡRX,2は、第ｉ行第ｉ列が基地局＃２のアンテナ＃ｉの受信系のアナログ回路（ＲＸ）による変動ａRX,2,iであるＫ×Ｋ対角行列である。ＡTX,1は、第ｉ行第ｉ列が基地局＃１のアンテナ＃ｉの送信系のアナログ回路（ＴＸ）による変動ａTX,1,iであるＫ×Ｋ対角行列である。Ｇは、第ｉ行第ｊ列が基地局＃２のアンテナ＃ｉと基地局＃１のアンテナ＃ｊの間のチャネルｇi,jであるＫ×Ｋ行列である。
【００４５】
上述のように、基地局＃１は、通常通り通信エリア内の端末＃１にＤＬ送信を行うことができる。基地局＃２は、通信エリア内の端末＃２からのＵＬ送信を受信することも可能だが、基地局間のチャネル推定の精度を高めるために、少なくとも一部の帯域では端末＃２のＵＬ送信を止めるように制御してもよい。例えば、通知部４４は、ＵＬとＤＬが交互に重なるタイミングのうち、ＵＬのタイミングでの信号の送信の停止を端末１２へ通知して、端末１２のＵＬ送信を止めるように制御してもよい。また、基地局１１間のチャネル推定の精度を高めるために、基地局＃１は、チャネル推定のための参照信号の送信電力を大きく設定してＤＬ送信をしてもよい。例えば、送受信制御部４１は、ＵＬとＤＬが交互に重なるタイミングのうち、ＤＬのタイミングでの信号の送信電力を大きくなるよう制御してもよい。
【００４６】
図６のＳ１４では、基地局＃２は、推定した基地局間チャネルＧeff,1を基地局＃１へ通知する。ここで、基地局間チャネルの報告は有線接続などの基地局間インタフェースを用いて行われる。
【００４７】
図６のＳ１９では、基地局＃１は、基地局＃２が送信するＤＬ信号を基に、（１）式と同様の方法で基地局＃２の送信系のアナログ回路（ＴＸ）による変動、および、基地局＃１の受信系のアナログ回路（ＲＸ）による変動を含む基地局間チャネルＧeff,2を推定する。
【００４８】
図６のＳ２０では、基地局＃１は、推定した基地局間チャネルＧeff,2を基地局＃２へ通知する。
【００４９】
そして、図６のＳ２１、Ｓ２２では、基地局＃１、＃２がそれぞれアンテナ間キャリブレーションを行う。ここでは、基地局＃２のアンテナ＃ｉとの間のチャネル情報を基に、基地局＃１がキャリブレーションを行う方法について説明する。利用する基地局＃２のアンテナ１５は任意に選択が可能であり、例えば、受信品質が高いアンテナ１５との間のチャネルを利用することが考えられる。以下では受信品質が高いアンテナ１５をアンテナ＃１とする。
【００５０】
基地局＃１は、以下の（２）式により、アンテナ＃ｋのアナログ回路の特性差をアンテナ＃１の特性差に揃えるキャリブレーション係数Ｃ1,kを計算する。
【００５１】
【数１】
2016009937.tif 000003
【００５２】
ただし、ｇeff,1,i,kは、基地局間チャネルｇeff,1の第ｉ行第ｋ列の成分であり、基地局＃２のアンテナ＃ｉの受信系のアナログ回路（ＲＸ）による変動と基地局＃１のアンテナ＃ｋの送信系のアナログ回路（ＴＸ）による変動を含む、基地局間のチャネルを表す。また、ｇeff,2,i,kは、基地局間チャネルＧeff,2の第ｉ行第ｋ列の成分である。ここで、チャネル推定、および、他の基地局１１へのチャネル報告は理想的に行えるものと仮定している。また、各基地局１１でのチャネル推定はコヒーレンス時間に対して十分短い間隔で行われるものと仮定している。なお、アナログ回路の特性差をアンテナ＃１以外に揃えるためのキャリブレーション係数についても同様の方法で計算可能である。例えば、事前に送受信の特性差が小さいアンテナ１５が既知の場合は、そのアンテナ１５の特性差に揃えることが考えられる。同様の方法で、基地局＃２のキャリブレーション係数も計算できる。
【００５３】
以降、基地局＃１、＃２は、端末＃１、＃２へのＤＬ送信ビームを形成する際、ＵＬ信号で推定したチャネル情報をキャリブレーション係数で補正したチャネルの情報を基に、ビームの形成を行う。例えば、基地局＃１の端末＃１に対する補正後のチャネル推定値は、以下の（３）式で表される。
【００５４】
【数２】
2016009937.tif 000004
【００５５】
ただし、Ｅ1は、以下の（４）式とする。
【００５６】
【数３】
2016009937.tif 000005
【００５７】
ここで、Ｈeff,1,1,ULは、基地局＃１で推定される端末＃１との間のＵＬチャネル(アナログ回路の変動含む)  である。Ｈeff,1,1,DLは、アナログ回路の変動を含む基地局＃1と端末＃１の間のＤＬチャネルである。ＢRX,1は、第ｉ行第ｉ列が端末＃１のアンテナ＃ｉの受信系のアナログ回路（ＲＸ）による変動ｂRX,1,iであるＬ×Ｌ対角行列である。ＢTX,1は、第ｉ行第ｉ列が端末＃１のアンテナ＃ｉの送信系のアナログ回路（ＴＸ）による変動ｂTX,1,iであるＬ×Ｌ対角行列である。
【００５８】
Ｅ1は、各送信アンテナで共通の変動であるため、ビームの方向には影響しない。このため、例えば、複数ストリーム送信時にも、端末からの報告を必要とせず、ストリーム間干渉を生じずに通信を行うことが可能となる。
【００５９】
このように、基地局間でＤＬとＵＬが交互に重なるDL/UL  configurationを利用して基地局間のチャネル推定を行うことで、端末の制御に悪影響を与えずに、基地局間のチャネル情報を利用したキャリブレーションが可能となる。
【００６０】
［処理の流れ］
次に、本実施例に係る基地局１１がキャリブレーションを行うキャリブレーション処理の流れについて説明する。図７は、キャリブレーション処理の手順の一例を示すフローチャートである。図７の例は、基地局＃１が図６に示すシーケンスのキャリブレーション処理を実行する流れを示している。
【００６１】
図７に示すように、設定部４０は、基地局＃２とキャリブレーションを行う場合、基地局＃２のＵＬに基地局＃１のＤＬが重なるタイミングが生じるDL/UL  configurationを設定する（Ｓ１００）。例えば、図６の例では、設定部４０は、DL/UL  configuration#4を設定する。通知部４４は、設定されたDL/UL  configurationを通信エリア内の端末１２に通知する（Ｓ１０１）。
【００６２】
基地局＃２では、基地局＃１からのＤＬ信号が受信されると、ＤＬ信号からチャネル推定を行う。基地局＃２は、チャネル推定の推定結果を基地局＃１に通知する。
【００６３】
取得部４３は、基地局＃２からチャネル推定した推定結果が受信できたか判定する（Ｓ１０２）。推定結果が受信できない場合（Ｓ１０２否定）、再度Ｓ１０２へ移行して推定結果の受信待ちを行う。
【００６４】
推定結果が受信された場合（Ｓ１０２肯定）、設定部４０は、次に、基地局＃２のＤＬに基地局＃１のＵＬが重なるタイミングを生じさせるため、DL/UL  configurationを設定する（Ｓ１０３）。例えば、図６の例では、設定部４０は、DL/UL  configuration#3を設定する。通知部４４は、設定されたDL/UL  configurationを通信エリア内の端末１２に通知する（Ｓ１０４）。
【００６５】
基地局＃２では、設定をDL/UL  configuration#4に変更する。
【００６６】
推定部４２は、基地局＃２からのＤＬ信号を受信すると、ＤＬ信号からチャネル推定を行う（Ｓ１０５）。通知部４４は、推定結果を基地局＃２へ通知する（Ｓ１０６）。算出部４５は、Ｓ１０５の推定結果およびＳ１０２で受信した推定結果を基にアンテナ１５間の特性差を補償するための補正係数を算出し（Ｓ１０７）、処理を終了する。
【００６７】
［効果］
上述してきたように、本実施例に係る基地局１１は、複数のアンテナ１５を用いた時分割方式の通信において、他の基地局１１の下り区間（ＤＬ）と重なる自装置の上り区間（ＵＬ）で当該他の基地局１１から送信された信号を基にチャネル推定を行う。基地局１１は、自装置の下り区間と重なる他の基地局１１の上り区間で自装置が送信した信号に基づいて当該他の基地局１１がチャネル推定した推定結果を取得する。基地局１１は、推定した推定結果および取得した推定結果を基に複数のアンテナ１５間の特性差を補償するための補正係数を算出する。ここで、他の基地局１１は、移動することがなく、受信品質も良好であることが多い。よって、基地局１１は、他の基地局１１とキャリブレーションを行うことにより、キャリブレーションを精度よく行うことができる。また、他の基地局１１の下り区間と自装置の上り区間が重なるタイミングでチャネル推定を行う。これにより、基地局１１は、通信エリア内の端末１２との通信への影響を抑えて、キャリブレーションを行うことができる。
【００６８】
隣接する基地局１１は、一般的に、同じDL/UL  configurationでＴＤＤを行う。この場合、隣接する基地局１１は、ＤＬ、ＵＬのタイミングが同期する。ここで、例えば、何れかの基地局１１が他の基地局１１からの信号を受信するため、他の基地局１１のＤＬの期間を、信号を受信する期間とすると、当該基地局１１内の端末１２へＤＬの信号を送れなくなる。また、何れかの基地局１１が他の基地局１１へ信号を送信するため、他の基地局１１のＵＬの期間を、信号を送信する期間とすると、当該基地局１１内の端末１２からの信号を受信できなくなる。そこで、本実施例に係る基地局１１は、他の基地局１１に設定される、上り区間と下り区間の切り替えパターン（DL/UL  configuration）の下り区間と、上り区間が重なる切り替えパターン（DL/UL  configuration）を設定する。これにより、基地局１１は、通信エリア内の端末１２との通信への影響を抑えて、キャリブレーションを行うことができる。
【００６９】
また、本実施例に係る基地局１１は、他の基地局１１の下り区間が自装置の上り区間に重なる区間で、自装置の通信エリア内の端末１２へ信号の送信の停止を通知する。これにより、基地局１１は、自装置の通信エリア内の端末１２へ信号の送信の停止するため、他の基地局１１の信号を精度良く検出できる。
【００７０】
また、本実施例に係る基地局１１は、他の基地局１１の上り区間が自装置の下り区間に重なる区間で、信号の送信電力を大きくなるよう制御する。これにより、基地局１１は、他の基地局１１に自装置の信号を精度良く検出させることができる。
【実施例２】
【００７１】
次に、実施例２について説明する。実施例２に係るシステム１０および基地局１１の構成は、図１〜４に示した実施例１の構成と同様であるため、同一部分については同一の符号を付し、主に異なる部分について説明する。
【００７２】
ところで、上述のように、DL/UL  configurationのスペシャルサブフレームは、ＤＬからＵＬへの切り替えのタイミングで設定される。ＴＤＤ方式の通信では、端末１２はＤＬ信号を受信後、送信回路に切り替えてＵＬ送信を行う。基地局１１がＤＬ信号を送信した後、端末１２からのＵＬ信号が基地局１１に到達するまでには、伝搬遅延に応じた時間がある。スペシャルサブフレームで伝搬遅延に応じた時間を確保するものとした場合、基地局は、スペシャルサブフレームの間、ＤＬ送信もＵＬ受信も行うことができない。３ＧＰＰでは、１サブフレーム単位でＤＬとＵＬが設定されるが、１サブフレームの間、全く通信を行わないことは通信効率が悪い。
【００７３】
図８は、スペシャルサブフレームのデータ構成の一例を示す図である。そこで、スペシャルサブフレームは、ＤＬ送信を行う期間(ＤｗＰＴＳ;Downlink  Pilot  Time  Slot)、ＤＬ送信もＵＬ受信も行わない期間(ＧＰ;Guard  Period)、ＵＬ受信を行う期間(ＵｐＰＴＳ;Uplink  Pilot  Time  Slot)が１サブフレーム中に設定されている。
【００７４】
実施例２に係る基地局１１では、設定部４０が、ＤＬからＵＬへの切替期間と、他の基地局１１のＤＬが重なるタイミングが生じるように通信タイミングを設定する。本実施例では、設定部４０は、DL/UL  configuration#2、#3を利用して、ＤＬからＵＬへの切替期間であるスペシャルサブフレームと、ＤＬが重なるタイミングが生じるように通信タイミングを設定する。
【００７５】
推定部４２が、切替期間と、他の基地局１１のＤＬが重なるタイミングで当該他の基地局１１のＤＬ信号を基にチャネル推定を行う。
【００７６】
ここで、具体例を用いて説明する。本実施例でも、図１に示す基地局＃１、＃２の間でキャリブレーションを行う場合を例に説明する。
【００７７】
図９は、DL/UL  configurationの設定の一例を示す図である。図９のフレーム６１に示すように、設定がDL/UL  configuration#3である場合、基地局＃１は、基地局＃２の設定がDL/UL  configuration#3であるフレーム６２で、DL/UL  configuration#2に設定する。フレーム６２では、サブフレーム＃４がＵＬとＤＬが重なるタイミングとなっている。また、フレーム６２では、サブフレーム＃６がスペシャルサブフレームとＤＬが重なるタイミングとなっている。基地局＃２は、サブフレーム＃４のタイミングでチャネル推定を行う。基地局＃１は、サブフレーム＃６のタイミングでチャネル推定を行う。
【００７８】
図１０は、キャリブレーションの流れの一例を示すシーケンス図である。図１０の例では、当初、基地局＃１、＃２は、設定がDL/UL  configuration#3であるものとする。
【００７９】
基地局＃１は、通信エリア内にDL/UL  configuration#2を通知する（Ｓ１５０）。これにより、サブフレーム＃４の期間、基地局＃１の通信エリアでは、ＤＬとなり、基地局＃２の通信エリアでは、ＵＬとなる。また、サブフレーム＃６の期間、基地局＃１の通信エリアでは、スペシャルサブフレームとなり、基地局＃２の通信エリアでは、ＤＬとなる。
【００８０】
基地局＃１は、サブフレーム＃４の期間にＤＬ送信を行う（Ｓ１５１）。基地局＃１の通信エリアの端末＃１は、サブフレーム＃４の期間がＤＬであるため、基地局＃１からのＤＬ信号を受信できる。一方、基地局＃２の通信エリアでは、サブフレーム＃４の期間がＵＬである。このため、基地局＃２の通信エリアの端末＃２は、ＵＬ送信を行う（Ｓ１５２）。基地局＃２は、サブフレーム４の期間がＵＬであるため、端末＃２からのＵＬ信号および基地局＃１からのＤＬ信号を共に受信できる。基地局＃２は、基地局＃１からのＤＬ信号からチャネル推定を行う（Ｓ１５３）。そして、基地局＃２は、チャネル推定の推定結果を基地局＃１に通知する（Ｓ１５４）。
【００８１】
次に、サブフレーム＃６の期間となると、基地局＃２は、ＤＬ送信を行う（Ｓ１５５）。一方、基地局＃１の通信エリアでは、サブフレーム＃６の期間がスペシャルサブフレームである。このため、基地局＃１の通信エリアの端末＃１は、スペシャルサブフレームのＤｗＰＴＳの期間にＵＬ送信を行う（Ｓ１５６）。基地局＃１は、スペシャルサブフレームのＧＰの期間に端末＃１からのＵＬ信号および基地局＃２からのＤＬ信号を受信できる。基地局＃１は、基地局＃２からのＤＬ信号からチャネル推定を行う（Ｓ１５７）。基地局＃１は、チャネル推定の推定結果を基地局＃２に通知する（Ｓ１５８）。
【００８２】
基地局＃１は、基地局＃２のＤＬ信号からチャネル推定した推定結果と、基地局＃２から通知された推定結果を基にアンテナ１５間の特性差を補償するための補正係数を算出する（Ｓ１５９）。基地局＃２は、基地局＃１のＤＬ信号からチャネル推定した推定結果と、基地局＃１から通知された推定結果を基にアンテナ１５間の特性差を補償するための補正係数を算出する（Ｓ１６０）。
【００８３】
キャリブレーションが完了するとDL/UL  configurationの設定をキャリブレーション前の状態に戻す。例えは、基地局＃１は、通信エリア内にDL/UL  configuration#3を通知する（Ｓ１６１）。これにより、基地局＃１および基地局＃２は、当初のDL/UL  configuration#3の設定で通信が行われる。
【００８４】
スペシャルサブフレームのＧＰの期間は、元々ＵＬ送信が行われていない。このため、このＧＰの期間を利用して基地局１１間のチャネル推定を行うことで、端末１２のＵＬ送信による干渉がない状況下での基地局１１間のチャネル推定が可能となる。
【００８５】
［処理の流れ］
次に、本実施例に係る基地局１１がキャリブレーションを行うキャリブレーション処理の流れについて説明する。図１１は、キャリブレーション処理の手順の一例を示すフローチャートである。図１１の例は、基地局＃１が図１０に示すシーケンスのキャリブレーション処理を実行する流れを示している。
【００８６】
図１１に示すように、設定部４０は、基地局＃２とキャリブレーションを行う場合、基地局＃２のＵＬに基地局＃１のスペシャルサブフレームが重なるタイミングが生じるDL/UL  configurationを設定する（Ｓ２００）。例えば、図１１の例では、設定部４０は、DL/UL  configuration#4を設定する。通知部４４は、設定されたDL/UL  configurationを通信エリア内の端末１２に通知する（Ｓ２０１）。
【００８７】
基地局＃２では、サブフレーム＃４の期間で基地局＃１からのＤＬ信号が受信されると、ＤＬ信号からチャネル推定を行う。基地局＃２は、チャネル推定の推定結果を基地局＃１に通知する。
【００８８】
取得部４３は、基地局＃２からチャネル推定した推定結果が受信できたか判定する（Ｓ２０２）。推定結果が受信できない場合（Ｓ２０２否定）、再度Ｓ２０２へ移行して推定結果の受信待ちを行う。
【００８９】
推定結果が受信された場合（Ｓ２０２肯定）、後述のＳ２０３へ移行する。
【００９０】
推定部４２は、基地局＃２からのＤＬ信号を受信すると、ＤＬ信号からチャネル推定を行う（Ｓ２０３）。通知部４４は、推定結果を基地局＃２へ通知する（Ｓ２０４）。算出部４５は、Ｓ２０３の推定結果およびＳ２０２で受信した推定結果を基にアンテナ１５間の特性差を補償するための補正係数を算出し（Ｓ２０５）、処理を終了する。
【００９１】
［効果］
上述してきたように、本実施例に係る基地局１１は、他の基地局１１に設定される、上り区間と下り区間の切り替えパターンの下り区間と、下り区間から上り区間への切替区間（スペシャルサブフレーム）が重なる切り替えパターンを設定する。これにより、基地局１１は、自装置の通信エリア内の端末１２のＵＬ送信による干渉がない状況下でのチャネル推定を行うことができる。
【実施例３】
【００９２】
次に、実施例３について説明する。図１２は、システム構成の一例を説明する図である。システム１０は、３つの基地局１１を有する。なお、実施例３に係る基地局１１の構成は、図４に示した実施例１の構成と同様であるため、同一部分については同一の符号を付し、主に異なる部分について説明する。また、図１２の例では、基地局１１を３つとした場合を例示したが、これに限定されず、基地局１１は３以上であれば任意の数とすることができる。また、図１２の例では、端末１２を３つとした場合を例示したが、これに限定されず、端末１２も任意の数とすることができる。各基地局１１は、通信エリア内の端末１２と無線での通信が可能とされている。図１２の例では、各基地局１１の通信エリアがそれぞれ楕円により示されており、基地局１１の通信エリア内にそれぞれ１つずつ端末１２が図示されている。基地局１１は、通信エリア内の端末１２と同一周波数を用いてＴＤＤ方式で通信を行う。
【００９３】
実施例３に係るシステム１０では、３つの基地局１１をグループに分ける。例えば、チャネル推定用の参照信号がそれぞれ直交する複数の基地局をグループ化する。そして、グループ間でＤＬ、ＵＬを交互に重ねて、グループ間でキャリブレーションを行う。
【００９４】
ここで、具体例を用いて説明する。本実施例では、図１２に示す３つの基地局１１の間でキャリブレーションを行う場合を例に説明する。以下では、３つの基地局１１を区別する場合、基地局＃１、＃２、＃３と表記する。また、基地局＃１の通信エリア内の端末１２を端末＃１とし、基地局＃２の通信エリア内の端末１２を端末＃２とし、基地局＃３の通信エリア内の端末１２を端末＃３と表記する。
【００９５】
図１３は、DL/UL  configurationの設定の一例を示す図である。ここで、キャリブレーション時以外は、基地局＃１、＃２、＃３は、それぞれDL/UL  configuration#3で端末と通信を行う場合を想定する。また、基地局＃２、＃３は、送信するチャネル推定用の参照信号が直交しており、基地局＃１と、基地局＃２、＃３とをそれぞれグループに分けている。
【００９６】
図１３のフレーム６１に示すように、設定がDL/UL  configuration#3である場合、基地局＃１は、基地局＃２、＃３の設定がDL/UL  configuration#3であるフレーム６２で、DL/UL  configuration#2に設定する。フレーム６２では、サブフレーム＃４がＵＬとＤＬが重なるタイミングとなっている。また、フレーム６２では、サブフレーム＃６がスペシャルサブフレームとＤＬが重なるタイミングとなっている。基地局＃２、＃３は、サブフレーム＃４のタイミングでチャネル推定を行う。基地局＃１は、サブフレーム＃６のタイミングでチャネル推定を行う。
【００９７】
図１４は、キャリブレーションの流れの一例を示すシーケンス図である。図１４の例では、当初、基地局＃１、＃２、＃３は、設定がDL/UL  configuration#3であるものとする。
【００９８】
基地局＃１は、通信エリア内にDL/UL  configuration#2を通知する（Ｓ２５０）。これにより、サブフレーム＃４の期間、基地局＃１の通信エリアでは、ＤＬとなり、基地局＃２、＃３の通信エリアでは、ＵＬとなる。また、サブフレーム＃６の期間、基地局＃１の通信エリアでは、スペシャルサブフレームとなり、基地局＃２、＃３の通信エリアでは、ＤＬとなる。
【００９９】
基地局＃１は、サブフレーム＃４の期間にＤＬ送信を行う（Ｓ２５１）。基地局＃１の通信エリアの端末＃１は、サブフレーム＃４の期間がＤＬであるため、基地局＃１からのＤＬ信号を受信できる。一方、基地局＃２、＃３の通信エリアでは、サブフレーム＃４の期間がＵＬである。このため、基地局＃２、＃３の通信エリアの端末＃２、＃３は、それぞれＵＬ送信を行う（Ｓ２５２）。基地局＃２、＃３は、サブフレーム４の期間がＵＬであるため、端末＃２、＃３らのＵＬ信号および基地局＃１からのＤＬ信号を共に受信できる。基地局＃２、＃３は、それぞれ基地局＃１からのＤＬ信号からチャネル推定を行う（Ｓ２５３）。そして、基地局＃２、＃３は、チャネル推定の推定結果を基地局＃１に通知する（Ｓ２５４）。
【０１００】
次に、サブフレーム＃６の期間となると、基地局＃２、＃３は、ＤＬ送信を行う（Ｓ２５５）。一方、基地局＃１の通信エリアでは、サブフレーム＃４の期間がスペシャルサブフレームである。このため、基地局＃１の通信エリアの端末＃１は、スペシャルサブフレームのＤｗＰＴＳの期間にＵＬ送信を行う（Ｓ２５６）。基地局＃１は、スペシャルサブフレームのＧＰの期間に端末＃１からのＵＬ信号および基地局＃２、＃３からのＤＬ信号を受信できる。基地局＃１は、基地局＃２、＃３からのＤＬ信号からチャネル推定を行う（Ｓ２５７）。基地局＃１は、チャネル推定の推定結果をそれぞれ基地局＃２、＃３に通知する（Ｓ２５８）。
【０１０１】
基地局＃１は、基地局＃２、＃３のＤＬ信号からチャネル推定した推定結果と、基地局＃２から通知された推定結果を基にアンテナ１５間の特性差を補償するための補正係数を算出する（Ｓ２５９）。この補正係数は、例えば、基地局＃２、＃３の各々について補正係数を算出して平均をとるものとしてもよい。また、基地局＃２、＃３の何れかの信号の受信感度がよい場合、受信感度がよい方の補正係数を算出するものとしてもよい。基地局＃２、＃３は、基地局＃１のＤＬ信号からチャネル推定した推定結果と、基地局＃１から通知された推定結果を基にアンテナ１５間の特性差を補償するための補正係数を算出する（Ｓ２６０）。
【０１０２】
キャリブレーションが完了するとDL/UL  configurationの設定をキャリブレーション前の状態に戻す。例えは、基地局＃１は、通信エリア内にDL/UL  configuration#3を通知する（Ｓ２６１）。これにより、基地局＃１および基地局＃２は、当初のDL/UL  configuration#3の設定で通信が行われる。
【０１０３】
このように複数の基地局１１をグループに分け、グループ間でキャリブレーションを行うことにより、複数の基地局１１のキャリブレーションを基地局１１間で各々行うよりも短い期間で行うことができる。
【０１０４】
［効果］
上述してきたように、本実施例に係るシステム１０は、３以上の基地局１１のうち、一部の基地局１１で構成される第１の基地局群と、残りの基地局１１で構成される第２の基地局群に分ける。そして、システム１０は、第１の基地局群と第２の基地局群間でキャリブレーションを行う。これにより、システム１０は、複数の基地局１１のキャリブレーションを基地局１１間で各々行うよりも短い期間で行うことができる。
【実施例４】
【０１０５】
さて、これまで開示のシステムに関する実施例について説明したが、開示の技術は上述した実施例以外にも、種々の異なる形態にて実施されてよいものである。そこで、以下では、本発明に含まれる他の実施例を説明する。
【０１０６】
例えば、上記の実施例では、基地局１１間でキャリブレーションを行う場合について説明したが、開示の装置はこれに限定されない。例えば、複数のアンテナ１６を備えた端末１２間で無線通信を行う場合に基地局１１間で各々の複数のアンテナ１６のキャリブレーションを行ってもよい。
【０１０７】
図１５は、端末間でキャリブレーションを行う場合の一例を示した図である。図１５の例では、基地局＃１の通信エリアに端末＃１があり、基地局＃２の通信エリアに端末＃２がある。この端末＃１、＃２は、それぞれ複数のアンテナが設けれ、当該複数のアンテナを用いた時分割方式の通信により直接通信が可能とする。このような場合、端末１２間で以下のようにキャリブレーションを行ってもよい。例えば、端末＃１、＃２は、互いの上り区間（ＵＬ）と下り区間（ＤＬ）の切り替えパターンを取得する。この切り替えパターンは、基地局１１を経由して取得してもよい。例えば、端末＃１は、基地局＃２のDL/UL  configurationを基地局＃１経由で取得してもよい。また、端末＃１は、基地局＃２の信号を受信できる場合、基地局＃２が送信したDL/UL  configurationを受信することで取得してもよい。なお、端末＃１、＃２の切り替えパターンが同期している場合、互いの切り替えパターンを取得しなくてもよい。端末＃１は、端末＃２の上り区間と重なる自装置の下り区間で端末＃２から送信された信号を基にチャネル推定を行う。また、端末＃１は、自装置の上り区間と重なる端末＃２の下り区間で自装置が送信した信号に基づいて端末＃２がチャネル推定した推定結果を取得する。そして、端末＃１は、推定による推定結果および取得した推定結果を基に複数のアンテナ間の特性差を補償するための補正係数を算出してもよい。
【０１０８】
また、図示した各装置の各構成要素は機能概念的なものであり、必ずしも物理的に図示の如く構成されていることを要しない。すなわち、各装置の分散・統合の具体的状態は図示のものに限られず、その全部または一部を、各種の負荷や使用状況などに応じて、任意の単位で機能的または物理的に分散・統合して構成することができる。例えば、設定部４０、送受信制御部４１、推定部４２、取得部４３、通知部４４および算出部４５の各処理部が適宜統合されてもよい。また、各処理部の処理が適宜複数の処理部の処理に分離されてもよい。さらに、各処理部にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１０９】
［キャリブレーションプログラム］
また、上記の実施例で説明した各種の処理は、あらかじめ用意されたプログラムをパーソナルコンピュータやワークステーションなどのコンピュータシステムで実行することによって実現することもできる。そこで、以下では、上記の実施例と同様の機能を有するプログラムを実行するコンピュータシステムの一例を説明する。図１６は、キャリブレーションプログラムを実行するコンピュータを示す図である。
【０１１０】
図１６に示すように、基地局１１の機能を実現するコンピュータ３００は、ＣＰＵ（Central  Processing  Unit）３１０、ＨＤＤ（Hard  Disk  Drive）３２０、ＲＡＭ（Random  Access  Memory）３４０を有する。これら３００〜３４０の各部は、バス４００を介して接続される。
【０１１１】
ＨＤＤ３２０には上記の設定部４０、送受信制御部４１、推定部４２、取得部４３、通知部４４および算出部４５と同様の機能を発揮するキャリブレーションプログラム３２０ａが予め記憶される。なお、キャリブレーションプログラム３２０ａについては、適宜分離しても良い。
【０１１２】
また、ＨＤＤ３２０は、各種情報を記憶する。例えば、ＨＤＤ３２０は、ＯＳや生産計画に用いる各種データを記憶する。
【０１１３】
そして、ＣＰＵ３１０が、キャリブレーションプログラム３２０ａをＨＤＤ３２０から読み出して実行することで、実施例の各処理部と同様の動作を実行する。すなわち、キャリブレーションプログラム３２０ａは、設定部４０、送受信制御部４１、推定部４２、取得部４３、通知部４４および算出部４５と同様の動作を実行する。
【０１１４】
なお、上記したキャリブレーションプログラム３２０ａについては、必ずしも最初からＨＤＤ３２０に記憶させることを要しない。
【０１１５】
例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」にプログラムを記憶させておく。そして、コンピュータ３００がこれらからプログラムを読み出して実行するようにしてもよい。
【０１１６】
さらには、公衆回線、インターネット、ＬＡＮ、ＷＡＮなどを介してコンピュータ３００に接続される「他のコンピュータ（またはサーバ）」などにプログラムを記憶させておく。そして、コンピュータ３００がこれらからプログラムを読み出して実行するようにしてもよい。
【符号の説明】
【０１１７】
１０  システム
１１  基地局
１２  端末
１５  アンテナ
３０  無線通信デバイス
３１  ネットワークＩ／Ｆ部
３２  記憶部
３３  制御部
４０  設定部
４１  送受信制御部
４２  推定部
４３  取得部
４４  通知部
４５  算出部
【図１】
2016009937.tif 000006
【図２】
2016009937.tif 000007
【図３】
2016009937.tif 000008
【図４】
2016009937.tif 000009
【図５】
2016009937.tif 000010
【図６】
2016009937.tif 000011
【図７】
2016009937.tif 000012
【図８】
2016009937.tif 000013
【図９】
2016009937.tif 000014
【図１０】
2016009937.tif 000015
【図１１】
2016009937.tif 000016
【図１２】
2016009937.tif 000017
【図１３】
2016009937.tif 000018
【図１４】
2016009937.tif 000019
【図１５】
2016009937.tif 000020
【図１６】
2016009937.tif 000021